(57)【要約】      （修正有）【課題】経血が着用部位に滞留されることなく自動的に他の部屋に拡散されるようにした生理用ナプキンの改良構造を提供する。【解決手段】表層１１、３層からなる吸収体１３、テープ１５、防漏層１７１からなる生理用ナプキンであって、前記表層と防漏層間に吸収体が配置されていて、該吸収体は更に異なる材質で作られた三層に分けられている。上層部のパルプ層１３０と下層部のパルプ層１３２と、中間層の左右側部はポリ塩化ビニル層１３３が配置され、更に中間層内方にはパルプ１３１により中間層側部のポリ塩化ビニル層１３３を包覆することで、該ポリ塩化ビニル層１３３と隔離した中空部を形成し、この構成により、着用部位に経血が滞留しないようにする、また、ダイオキシンが発生しないようにポリ塩化ビニル層１３３を使用して、着用者に健康被害を与えないようにして、安全で衛生的で、快適な整理用ナプキン構造をもたらす構成とした。【選択図】図４
0003116912.tif 000002
【実用新案登録請求の範囲】
【請求項１】
表層、吸収体、テープ、及び防漏層から成る生理用ナプキン構造であって、前記表層と前記防漏層間に前記吸収体を設け、前記吸収体は異なる材質になる三層構造に形成されており、その上層部と下層部はそれぞれパルプ層で形成され、中間層は、着用部位の形状に対応して、その左右側部に濃縮したポリ塩化ビニル層が配設され、更に、その内方部に、前記濃縮したポリ塩化ビニル層を裁断するかパルプにより隔離させて形成した中空部を配設し、該中空部により、着用部位に経血が集中滞留することを防止すると共に、この構成により、ポリ塩化ビニル層からダイオキシンが発生して体内に進入し病変を生じさせるのを防止し、これにより、安全で、衛生的で、快適な生理用ナプキンとしたことを特徴とする生理用ナプキン。
【考案の詳細な説明】
【技術分野】
【０００１】
本考案は、生理用ナプキンに関するものであって、特に、経血が滞留する不快感を改良する生理用ナプキンに関し、この改良設計により経血を四方へ拡散し、経血温度が装着部位周辺に集中しないようにした生理用ナプキンに関するものである。
【背景技術】
【０００２】
女性は思春期に初潮を迎えると、それ以降、個人差はあるにしても月に１度、定期的に生理期間が訪れることとなり、毎月の内、１週間程は不快な日を過ごさなければならない。この期間を少しでも快適で安心して過ごせるようにすることは、女性の日常生活にとって非常に大切な問題である。
【０００３】
ある文献によると、石器時代など古代においては、海綿や草の類を利用して経血を吸収していた。また、古代エジプトでは、軟化させた紙草の葉をナプキンとし、あるいはまた、古代ギリシャ人は、麻布を木の板に巻いてナプキンとしたり、清潔な綿布をパッドとして用い、使用後、洗浄して再利用していた。中国では、長い白布を体に巻いて使用し、使用後は、水で洗浄していた。いずれの方法にしても、非常に不便で、非衛生的で、全く満足な着用感を得られるものではなかった。
【０００４】
２０世紀の初頭にしてようやく生理用ナプキンの製造が開始されたが、安全ピンでナプキンを下着に留めつけるか、生理帯を体に巻く形式のものであり、これもまた便利であるとはいい難かった。このような不便で不快な方法は、１９２１年の米国のキンバリー・クラークによる初めての使い捨て式生理用ナプキンの開発で、大いに改善されることなった。これが、現在の生理用ナプキンの起源であり、その後、様々な種類のナプキンが開発され、女性に快適な生理期間を提供している。
【０００５】
ナプキンの基本構造は、図１で示されるように、表面には、柔軟な綿織品からなる、着用者の皮膚と直接接触する表層１１を有し、中心内部には、経血を吸収するパルプ及び高分子吸収粉（ポリ塩化ビニル）から成る吸収体１３を内蔵し、吸収体１３と表層１１と間には、膣口に対応する部分を除いて、防漏膜１２が配置されている。更には、ナプキン外周囲に側翼１４が配設され、側翼１４の底部には、ナプキンのずれを防止するために下着に接着固定するための接着テープ１５が装着されている。
使用時、排泄された経血は、吸収体１３に移行してここに滞留するが、防漏膜１２の阻止を受けて、ナプキン１から漏れ出ないようになっている。
【０００６】
しかし、多量の経血が与えられると、経血は吸収体から漏れ出ることもあり、このような状態になったとき、着用者は皮膚がナプキンと当接する箇所に不快感を持つようになるので、この問題を解決するために、経血を直接吸収してから、更に別の場所に拡散するようにさせる設計を実現するため、不断の改良が加えられてきた。
【０００７】
図２および図３に示す従来技術では、ナプキンの中心部に配置された吸収体１３を、その中央部に隔片１９を配置することで上下に分断し、上部の主吸収層１８１と、下方の副吸収層１８２とに分ける。そして、最底部に底片１７を配置することで、底片１７と表層１１とでナプキンの内容物を内包する。
【０００８】
表層１１と隔片１９に高周波を照射して、左右の側方部に防漏圧線を溶出して、隆起部を形成する。上部吸収体１３を内包する主吸収層１８１は、その他の部位より高く形成して、隆起部１８となっている。この隆起部１８は股間着用部位の輪郭に対応して形成されていて、これにより、排泄された経血はまず隆起部１８に吸収され、主吸収層１８１に進入した後、下部の副吸収層１８２に吸収されて、その他の部位に拡散しないようになっている。この改良は、現在、女性に非常に歓迎され、不快感を与えない。
【０００９】
しかし、経血は体内から排泄されるので、体温以上の温度があり、経血が隆起部１８に収集され滞留すると、着用部位が熱を持つように感じることがある。また、経血は、隆起部１８に吸収された後、上から下に流れて四方に移行するのであるが、体液は相当に粘度が高いために、その吸収速度と移動速度が遅いと、経血の大部分が隆起部１８に滞留した状態になる。経血が排泄される時、膣部は開口状態であるために、経血が有する体温より高い温度により、吸収体の材料の１つであるポリ塩化ビニルが蒸発して、微量のダイオキシンが発生する可能性があり、これが膣部から子宮頚に進入して子宮に熱を生じさせたり、さらに事態が深刻な場合には病気を引き起こすことにもなり兼ねない。
【考案の開示】
【考案が解決しようとする課題】
【００１０】
本考案は、生理用ナプキンの改良構造を提供し、経血が着用部位に集中して滞留することがなく、自動的にその他の部位に拡散されるようにすることで、女性の生理期間を快適にすることを目的とする。
【課題を解決するための手段】
【００１１】
本考案の生理用ナプキンは、着用部位の形状に対応して、ナプキン内部の３層になる吸収体の中間層の左右側部に濃縮ポリ塩化ビニル層を配設し、このビニル層を裁断するかパルプにより囲んで区切って、ビニル層から更に内方部に中空部を形成することにより、上部にある経血が速やかに下方に移動して更なる吸収体内に流れ込むようにし、着用部位に経血が集中して滞留するのを防止する。
【考案の効果】
【００１２】
本考案により、経血は着用部位に集中せず、速みやかに下方に移行して四方に拡散して更に別の吸収体内に流れ込んで行くようにしので、着用部位を快適に保つことができ、着用感が非常によい。
また、従来のようにパルプ及び高分子吸収粉（ポリ塩化ビニル）から吸収体を作るのではなく、体内にポリ塩化ビニルの吸収体へ直接経血が受けないように、着用部位が影響を受ける場所にはパルプの吸収体のみを使用し、経血を直接受けない側部位置に濃縮したポリ塩化ビニル層を配置して上から下がってきて四方に拡散した経血を受ける構成にしたので、従来の吸収体で懸念されていた微量に発生するダイオキシン問題を払拭することができるので、生理期間中も、快適に安全に過ごすことが出来るものである。
【考案を実施するための最良の形態】
【００１３】
図４は本考案の生理用ナプキンの概略断面図である。以下、図４を参照して、本考案の整理用ナプキンの説明をする。
【実施例】
【００１４】
図４で示されるように、本考案の生理用ナプキンの構造は非常に簡潔であり、表層１１、吸収体１３、テープ１５、防漏層１７１から構成されている。
【００１５】
吸収体１３は、表層１１と防漏層１７１の間に配設され、それぞれ異なる材質になる三層構造に形成されている。上層部はパルプ層１３０であり、下層は別のパルプ層１３２である。
【００１６】
中間層は股間の着用部位の形状に対応して構成されており、左右側部に濃縮したポリ塩化ビニル層１３３を配設し、また、この濃縮したポリ塩化ビニル１３３を裁断するかパルプで取り囲んで区切ることにより、膣口位置に対応して、中間層内部に中空部２を形成してある。
【００１７】
このように、上層部のパルプ層１３０の下方に中空部を配設した構成になっているために、体内から排泄された経血を上層部のパルプ層１３０に直接を受けてから、経血がそこに滞留することがなく中空部２への下方移行が速やかに行なわれ、更に中空部２から下層部のパルプ層１３２や左右側部に濃縮したポリ塩化ビニル層１３３へと四方へ別の場所に拡散移行浸透してゆくので、中空部２は常に中空状態で上層部のパルプ層からの経血の移行を受取ることができるようになっている。
【００１８】
また、中間層外側に配設された濃縮したポリ塩化ビニル層１３３は、着用者の様々な動作からの圧力を受けても中に吸収された経血が滲み出ることがないので、上層部のパルプ層１３０や中空部に経血が戻ることがない。従って、上層部のパルプ層１３０の周辺に経血の滞留することがなく、着用者が不快感を感じることがなく、非常に安心して着用することができる。
【００１９】
さらには、経血を吸収するために、従来の生理用ナプキンの内部には、パルプ及び高分子吸収粉（ポリ塩化ビニル）から成る吸収体が使用されているため、着用部位に滞留した経血の比較的高い温度によりポリ塩化ビニルから微量のダイオキシンが生じ、体内に侵入して、これが健康に被害を及ぼす、という危険性があった。
【００２０】
しかし、本考案では、膣口位置に対向するナプキンの内部は、「パルプ吸収体層・中空部・パルプ吸収体層」というように、ポリ塩化ビニルの層が存在しない３層構造となっていて、濃縮したポリ塩化ビニル層１３３は、着用者の身体に直接影響を与えないように、中間層側部に配置されている。そして、ポリ塩化ビニル層１３３は圧力を受けても中に吸収された経血が滲み出ることがないので、ポリ塩化ビニルから微量のダイオキシンが発生するという危険性を回避することができ、安心・安全に着用することができる。
【００２１】
上記の構成により、本考案では、吸収体中間層に配設された濃縮したポリ塩化ビニル層１３３を裁断するかパルプで取り囲んで区切ることにより、中間層内部に中空部２を形成したので、経血が速やかに移動して吸収体内に流れ込むようになり、着用部位に経血が集中して滞留するということがなく、公知のナプキンにおける、着用部位に経血が集中して滞留するときの不快感を取り除くことができる共に、吸収体の内容物に使用されるポリ塩化ビニルからダイオキシンが発生して膣口から体内に進入して熱を持たせたり、あるいは病変をもたらすというような問題をなくすことができる。
【００２２】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができ、従って本考案は、実用新案登録請求の範囲のみにより限定されるものである。
【図面の簡単な説明】
【００２３】
【図１】従来の生理用ナプキンの基本構造を示す断面図である。
【図２】従来の生理用ナプキンの斜視図である。
【図３】図２の断面図である。
【図４】本考案の生理用ナプキンの一実施例を示す内部構造を示す断面図である。
【符号の説明】
【００２４】
１        ナプキン
２        中空部
１１      表層
１３      吸収体
１５      下着固定用テープ
１３０    上層部のパルプ層
１３１    中空部形成用パルプ
１３２    下層部のパルプ層
１３３    ポリ塩化ビニル
１７１    防漏層    
【図１】
0003116912.tif 000003
【図２】
0003116912.tif 000004
【図３】
0003116912.tif 000005
【図４】
0003116912.tif 000006